(57)【要約】【課題】導電Ｘラインと導電Ｙラインの交差領域の光透過性が低下するのを防止する静電容量式のタッチパネルスイッチを提供する。【解決手段】導電Ｘ軸２が並ぶＸパターン群１と、導電Ｙ軸１１が並ぶＹパターン群１０を備え、Ｘパターン群１とＹパターン群１０を平面視で直交させるタッチパネルスイッチで、導電Ｘ軸２を、複数の導電Ｘパッド３と、一対の導電Ｘパッド３間を接続する複数の導電Ｘライン４から形成する。また、導電Ｙ軸１１を、複数の導電Ｙパッド１２と、複数の導電Ｙパッド１２間を接続する複数の導電Ｙライン１３から形成する。Ｘパターン群１とＹパターン群１０が直交する場合に導電Ｘライン４と導電Ｙライン１３が導電Ｘパッド３及び導電Ｙパッド１２と略同様の光透過性を有する光透過領域３０、すなわちメッシュ３１を形成するので、導電Ｘライン４と導電Ｙライン１３の交差領域の光透過性が低下して顕現することがない。【選択図】図１
2011175412.tif 000002
【特許請求の範囲】
【請求項１】
Ｘ方向に複数の導電Ｘ軸が並ぶＸパターン群と、Ｙ方向に複数の導電Ｙ軸が並ぶＹパターン群とを備え、これらＸパターン群とＹパターン群とを交差させる静電容量式のタッチパネルスイッチであって、
導電Ｘ軸は、間隔をおいて配列される複数の導電Ｘパッドと、隣接する複数の導電Ｘパッド間を接続する複数の導電Ｘラインとを含み、
導電Ｙ軸は、間隔をおいて配列される複数の導電Ｙパッドと、隣接する複数の導電Ｙパッド間を接続する複数の導電Ｙラインとを含み、
Ｘパターン群とＹパターン群とを平面視で交差させる場合に、導電Ｘ軸の導電Ｘパッドと導電Ｙ軸の導電Ｙパッドとを重なることがないよう配置し、導電Ｘ軸の導電Ｘラインと導電Ｙ軸の導電Ｙラインの少なくともいずれか一方により、導電Ｘパッド及び導電Ｙパッドと略同様の光透過性を有する光透過領域を形成するようにしたことを特徴とする静電容量式のタッチパネルスイッチ。
【請求項２】
Ｘパターン群とＹパターン群とが平面視で交差する場合に、導電Ｘ軸と導電Ｙ軸との間に位置して導電Ｘパッド及び導電Ｙパッドと略同様の光透過性を有するダミーパターンを含んでなる請求項１記載の静電容量式のタッチパネルスイッチ。
【請求項３】
導電Ｘ軸の導電Ｘパッドをメッシュ状に形成するとともに、導電ＸラインをＸ方向に並ぶ複数のラインにより形成し、
導電Ｙ軸の導電Ｙパッドをメッシュ状に形成するとともに、導電ＹラインをＹ方向に並ぶ複数のラインにより形成し、
Ｘパターン群とＹパターン群とを平面視で交差させる場合に、導電Ｘ軸の導電Ｘラインと導電Ｙ軸の導電Ｙラインとによりメッシュを形成するようにした請求項１又は２記載の静電容量式のタッチパネルスイッチ。
【請求項４】
Ｘパターン群とＹパターン群とを光透過性を有する別体の絶縁基材にそれぞれ形成し、この一対の絶縁基材を積層接着した請求項１、２、又は３記載の静電容量式のタッチパネルスイッチ。
【請求項５】
Ｘパターン群の導電ＸパッドとＹパターン群の導電Ｙパッドの少なくともいずれか一方の周囲に導電枠ラインを形成した請求項１ないし４いずれかに記載の静電容量式のタッチパネルスイッチ。
【発明の詳細な説明】
【技術分野】
【０００１】
本発明は、各種の表示機器、電子黒板、ゲーム機器、カーナビ、通信機器、端末機器等に使用される静電容量式のタッチパネルスイッチに関するものである。
【背景技術】
【０００２】
従来の静電容量式のタッチパネルスイッチは、図示しないが、Ｘ方向に複数の導電Ｘ軸が並ぶＸパターン群と、Ｙ方向に複数の導電Ｙ軸が並ぶＹパターン群とを備え、これらＸパターン群とＹパターン群とが平面視で直交しており、指のタッチ操作に伴う静電容量の変化を検出し、コントローラに指の座標位置を計算させるよう機能する。
【０００３】
各導電Ｘ軸は、間隔をおいて配列される複数の導電Ｘパッドと、隣接する一対の導電Ｘパッド間を接続する複数の導電Ｘラインとを備え、これら導電Ｘパッドと導電ＸラインとがＸＹ方向に伸びる複数の導電ラインによりそれぞれメッシュに形成される。また、各導電Ｙ軸は、間隔をおいて配列される複数の導電Ｙパッドと、隣接する一対の導電Ｙパッド間を接続する複数の導電Ｙラインとを備え、これら導電Ｙパッドと導電ＹラインとがＸＹ方向に伸びる複数の導電ラインによりそれぞれメッシュに形成される。
【０００４】
このようなＸパターン群とＹパターン群とは、平面視で直交する場合に、各導電Ｘ軸の導電Ｘパッドと各導電Ｙ軸の導電Ｙパッドとが重ならないよう隣接して配置され、導電Ｘラインと導電Ｙラインとが重なるよう積層配置される（特許文献１参照）。
【先行技術文献】
【特許文献】
【０００５】
【特許文献１】特開２００９‐２０５３２１号公報
【発明の概要】
【発明が解決しようとする課題】
【０００６】
従来における静電容量式のタッチパネルスイッチは、以上のように構成され、導電Ｘ軸の導電Ｘラインと導電Ｙ軸の導電Ｙラインとがそれぞれメッシュに形成されて積層されるので、導電Ｘパッドや導電Ｙパッドに比べて導電Ｘラインと導電Ｙラインとの交差領域の光透過性が低下して顕現するという問題がある。
【０００７】
本発明は上記に鑑みなされたもので、導電Ｘラインと導電Ｙラインとの交差領域の光透過性が低下するのを防ぐことのできる静電容量式のタッチパネルスイッチを提供することを目的としている。
【課題を解決するための手段】
【０００８】
本発明においては上記課題を解決するため、Ｘ方向に複数の導電Ｘ軸が並ぶＸパターン群と、Ｙ方向に複数の導電Ｙ軸が並ぶＹパターン群とを備え、これらＸパターン群とＹパターン群とを交差させるスイッチであって、
導電Ｘ軸は、間隔をおいて配列される複数の導電Ｘパッドと、隣接する複数の導電Ｘパッド間を接続する複数の導電Ｘラインとを含み、
導電Ｙ軸は、間隔をおいて配列される複数の導電Ｙパッドと、隣接する複数の導電Ｙパッド間を接続する複数の導電Ｙラインとを含み、
Ｘパターン群とＹパターン群とを平面視で交差させる場合に、導電Ｘ軸の導電Ｘパッドと導電Ｙ軸の導電Ｙパッドとを重なることがないよう配置し、導電Ｘ軸の導電Ｘラインと導電Ｙ軸の導電Ｙラインの少なくともいずれか一方により、導電Ｘパッド及び導電Ｙパッドと略同様の光透過性を有する光透過領域を形成するようにしたことを特徴としている。
【０００９】
なお、Ｘパターン群とＹパターン群とが平面視で交差する場合に、導電Ｘ軸と導電Ｙ軸との間に位置して導電Ｘパッド及び導電Ｙパッドと略同様の光透過性を有するダミーパターンを含むことができる。
【００１０】
また、導電Ｘ軸の導電Ｘパッドをメッシュ状に形成するとともに、導電ＸラインをＸ方向に並ぶ複数のラインにより形成し、導電Ｙ軸の導電Ｙパッドをメッシュ状に形成するとともに、導電ＹラインをＹ方向に並ぶ複数のラインにより形成し、Ｘパターン群とＹパターン群とを平面視で交差させる場合に、導電Ｘ軸の導電Ｘラインと導電Ｙ軸の導電Ｙラインとによりメッシュを形成することができる。
【００１１】
また、ダミーパターンは、導電Ｘ軸の導電Ｘパッドに隣接し、複数のラインがＸ方向に並ぶダミーＸパターンと、導電Ｙ軸の導電Ｙパッドに隣接し、複数のラインがＹ方向に並ぶダミーＹパターンとを含み、Ｘパターン群とＹパターン群とが平面視で交差する場合に、ダミーＸパターンとダミーＹパターンとによりメッシュを形成することができる。
【００１２】
また、Ｘパターン群とＹパターン群とを光透過性を有する別体の絶縁基材にそれぞれ形成し、この一対の絶縁基材を積層接着することが可能である。
さらに、Ｘパターン群の導電ＸパッドとＹパターン群の導電Ｙパッドの少なくともいずれか一方の周囲に導電枠ラインを形成することが可能である。
【００１３】
ここで、特許請求の範囲におけるＸパターン群、Ｙパターン群、及びダミーパターンは、一枚の絶縁基材の表裏両面に形成することもできるし、二枚の絶縁基材に別々に形成することもできる。Ｘパターン群やＹパターン群は、例えば金属粒子、金属細線、カーボン、導電性高分子等を含有するインクの印刷や金属箔の加工等により適宜形成することができ、光透過性を有する絶縁保護シートを介し指等の導電体によりタッチされる。
【００１４】
導電Ｘ軸の導電Ｘパッド、導電Ｘライン、導電Ｙ軸の導電Ｙパッド、及び導電Ｙラインの少なくとも一部は、その周縁部を導電枠ラインにより包囲して検出感度を向上させることができる。この導電枠ラインは、導電Ｘパッド又は導電Ｙパッドの周囲に形成することができる。
【００１５】
ダミーパターンは、Ｘパターン群やＹパターン群と同様の材料で設けても良いし、異なる材料で設けても良い。このダミーパターンは、パターンを備えたシート等からなる基材層の貼り付け、エッチング、印刷等の方法により適宜設けることができる。さらに、絶縁基材は、光透過性を有するのであれば、絶縁性のシートでも良いし、フィルムでも良い。絶縁基材は、可撓性を有していても良いし、そうでなくても良い。
【００１６】
本発明によれば、Ｘパターン群とＹパターン群とが交差する場合に、導電Ｘ軸の導電Ｘラインと導電Ｙ軸の導電Ｙラインの少なくともいずれか一方が導電Ｘパッド及び導電Ｙパッドと略同様の光透過性を有する光透過領域を形成するので、導電Ｘラインと導電Ｙラインとの交差領域の光透過性が低下することが少ない。
【発明の効果】
【００１７】
本発明によれば、導電Ｘ軸の導電Ｘラインと導電Ｙ軸の導電Ｙラインの少なくともいずれか一方により、導電Ｘパッド及び導電Ｙパッドと略同様の光透過性を有する光透過領域を形成するので、導電Ｘラインと導電Ｙラインとの交差領域の光透過性が低下するのを防ぐことができるという効果がある。
【００１８】
また、Ｘパターン群とＹパターン群とが平面視で交差する場合に、導電Ｘ軸と導電Ｙ軸との間に位置して導電Ｘパッド及び導電Ｙパッドと略同様の光透過性を有するダミーパターンを含めば、導電Ｘ軸と導電Ｙ軸とが離れて配列されている場合に導電Ｘ軸と導電Ｙ軸とが交差しても、これらの間に無地の空隙が生じるのではなく、導電Ｘパッドや導電Ｙパッドと同様のダミーパターンを生じさせることができるので、タッチパネルスイッチ全体に均一感や統一感を醸し出すことができる。
【００１９】
また、Ｘパターン群とＹパターン群とを光透過性を有する別体の絶縁基材にそれぞれ形成し、この一対の絶縁基材を積層接着すれば、一枚の絶縁基材の表裏両面にＸパターン群とＹパターン群とをそれぞれ形成するのに伴う作業の煩雑化や複雑化を回避することができる。
さらに、Ｘパターン群の導電ＸパッドとＹパターン群の導電Ｙパッドの少なくともいずれか一方の周囲に導電枠ラインを形成すれば、静電容量の変化を高精度に検出することが可能になる。
【図面の簡単な説明】
【００２０】
【図１】本発明に係る静電容量式のタッチパネルスイッチの実施形態を模式的に示す平面説明図である。
【図２】本発明に係る静電容量式のタッチパネルスイッチの実施形態を模式的に示す断面説明図である。
【図３】本発明に係る静電容量式のタッチパネルスイッチの実施形態におけるＸパターン群を模式的に示す平面説明図である。
【図４】本発明に係る静電容量式のタッチパネルスイッチの実施形態におけるＹパターン群を模式的に示す平面説明図である。
【図５】本発明に係る静電容量式のタッチパネルスイッチの第２の実施形態を模式的に示す平面説明図である。
【図６】本発明に係る静電容量式のタッチパネルスイッチの第２の実施形態におけるＸパターン群を模式的に示す平面説明図である。
【図７】本発明に係る静電容量式のタッチパネルスイッチの第２の実施形態におけるＹパターン群を模式的に示す平面説明図である。
【図８】本発明に係る静電容量式のタッチパネルスイッチの第３の実施形態を模式的に示す平面説明図である。
【図９】本発明に係る静電容量式のタッチパネルスイッチの第３の実施形態におけるＸパターン群を模式的に示す平面説明図である。
【図１０】本発明に係る静電容量式のタッチパネルスイッチの第３の実施形態におけるＹパターン群を模式的に示す平面説明図である。
【図１１】本発明に係る静電容量式のタッチパネルスイッチの第４の実施形態を模式的に示す部分平面説明図である。
【図１２】本発明に係る静電容量式のタッチパネルスイッチの第４の実施形態におけるＸパターン群を模式的に示す部分平面説明図である。
【図１３】本発明に係る静電容量式のタッチパネルスイッチの第４の実施形態におけるＹパターン群を模式的に示す部分平面説明図である。
【図１４】本発明に係る静電容量式のタッチパネルスイッチの第５の実施形態を模式的に示す部分平面説明図である。
【図１５】本発明に係る静電容量式のタッチパネルスイッチの第５の実施形態におけるＸパターン群を模式的に示す部分平面説明図である。
【図１６】本発明に係る静電容量式のタッチパネルスイッチの第５の実施形態におけるＹパターン群を模式的に示す部分平面説明図である。
【発明を実施するための形態】
【００２１】
以下、図面を参照して本発明の実施形態を説明すると、本実施形態における静電容量式のタッチパネルスイッチは、図１ないし図４に示すように、Ｘ方向に複数の導電Ｘ軸２が僅かな間隔で並ぶ導電性のＸパターン群１と、Ｙ方向に複数の導電Ｙ軸１１が僅かな間隔で並ぶ導電性のＹパターン群１０とを備え、これらＸパターン群１とＹパターン群１０とを平面視で直交させるパネルスイッチで、Ｘパターン群１とＹパターン群１０とを平面視で直交させる場合に、導電Ｘ軸２の導電Ｘライン４と導電Ｙ軸１１の導電Ｙライン１３とを積層して導電Ｘパッド３及び導電Ｙパッド１２と略同様の光透過性を有する光透過領域３０を形成するようにしている。
【００２２】
Ｘパターン群１とＹパターン群１０とは、図１や図２に示すように、光透過性を有する別体の薄い絶縁フィルム２０の表面に導電ペーストでそれぞれダイヤモンドパターンにスクリーン印刷され、この一対の絶縁フィルム２０が透明の薄い接着層や接着剤２１等を介し重ねてローラ等で積層接着される。
【００２３】
各絶縁フィルム２０は、例えば光や熱に対して安定で可撓性を有する透明のポリエチレンテレフタレート製のフィルムが平面矩形にカットされることにより形成される。また、接着剤２１としては、例えば硬化性や耐熱性に優れるアクリル系の接着剤が使用される。このようなＸパターン群１とＹパターン群１０とは、光透過性を有する別体の薄い絶縁保護シートが覆着され、この絶縁保護シートの上から指で適宜タッチ操作される。
【００２４】
各導電Ｘ軸２は、図３に示すように、所定の間隔をおいてＹ方向に配列され指でタッチ操作される複数の導電Ｘパッド３と、隣接する一対の導電Ｘパッド３の端部間を接続する複数の導電Ｘライン４とを備えて一体形成される。導電Ｘパッド３は指のタッチ操作を容易にする観点から幅広に形成され、導電Ｘライン４は導電Ｘパッド３よりも幅狭に形成される。
【００２５】
各導電Ｘパッド３は、ＸＹ方向に伸びる複数の導電ラインにより、平面略菱形のメッシュに形成され、導電Ｙパッド１２の斜辺に隣接する。ＸＹ方向に伸びる導電ラインの線幅は、導電Ｘパッド３の開口率を向上させる観点から、２００μｍ以下、好ましくは１０μｍ以下が良い。
【００２６】
各導電Ｘライン４は、Ｙ方向に伸びてＸ方向に所定の間隔で並ぶ複数の直線ライン５により細長く形成される。この直線ライン５の線幅は、導電Ｘライン４の開口率を向上させる観点から、２００μｍ以下、好ましくは１０μｍ以下が良い。導電Ｘパッド３や導電Ｘライン４の開口率は、７０％以上、好ましくは９５％以上が良い。
【００２７】
なお、導電Ｘパッド３は、製造の容易化を図る観点からメッシュに形成されることが好ましいが、必要に応じ、各種の縞模様、市松模様、亀甲繁模様、鱗繁模様、万字繁模様、麻の葉模様、唐草模様、柳井模様、一筆書き模様、ストライプ模様、長短のラインの組み合わせ等に形成される。
【００２８】
各導電Ｙ軸１１は、図４に示すように、所定の間隔をおいてＸ方向に配列され指でタッチ操作される複数の導電Ｙパッド１２と、隣接する一対の導電Ｙパッド１２の端部間を接続する複数の導電Ｙライン１３とを備えて一体形成される。導電Ｙパッド１２は指のタッチ操作を容易にする観点から幅広に形成され、導電Ｙライン１３は導電Ｙパッド１２よりも幅狭に形成される。
【００２９】
各導電Ｙパッド１２は、ＸＹ方向に伸びる複数の導電ラインにより、平面略菱形のメッシュに形成され、導電Ｘパッド３の斜辺に隣接する。ＸＹ方向に伸びる導電ラインの線幅は、導電Ｙパッド１２の開口率を向上させる観点から、２００μｍ以下、好ましくは１０μｍ以下が良い。
【００３０】
各導電Ｙライン１３は、Ｘ方向に伸びてＹ方向に所定の間隔で並ぶ複数の直線ライン１４により細長く形成される。この直線ライン１４の線幅は、導電Ｙライン１３の開口率を向上させる観点から、２００μｍ以下、好ましくは１０μｍ以下が良い。導電Ｙパッド１２や導電Ｙライン１３の開口率は、７０％以上、好ましくは９５％以上が良い。
【００３１】
なお、導電Ｙパッド１２についても、製造の容易化の観点からメッシュに形成されることが好ましいが、必要に応じ、各種の縞模様、市松模様、亀甲繁模様、鱗繁模様、万字繁模様、麻の葉模様、唐草模様、柳井模様、一筆書き模様、ストライプ模様、長短のラインの組み合わせ等に形成される。
【００３２】
このようなＸパターン群１とＹパターン群１０とは、図１に示すように、一対の絶縁フィルム２０が積層接着され、平面視で直交する場合に、導電Ｘ軸２の導電Ｘパッド３と導電Ｙ軸１１の導電Ｙパッド１２とが重なることがないよう僅かな隙間を介し隣接配置されることにより、指のタッチ操作に伴う静電容量の変化を検出し、コントローラに指の座標位置を計算させる。導電Ｘライン４と導電Ｙライン１３とは、積層されてはじめて導電Ｘパッド３及び導電Ｙパッド１２と略同様の光透過性を有する光透過領域３０、換言すれば、メッシュ３１を形成する。
【００３３】
上記構成によれば、Ｘパターン群１とＹパターン群１０とが直交する場合に導電Ｘライン４と導電Ｙライン１３とが絶縁フィルム２０の積層方向に多層構造のメッシュを厚く形成するのではなく、はじめて縦横のメッシュ３１を形成するので、導電Ｘライン４と導電Ｙライン１３との交差領域の光透過性が低下して顕現することがない。また、光透過領域３０が導電Ｘパッド３や導電Ｙパッド１２と同形のメッシュ３１を形成するので、交差領域が導電Ｘパッド３や導電Ｙパッド１２よりも目立ってタッチパネルスイッチの外観や体裁が悪化するのを有効に防止することができる。
【００３４】
次に、図５ないし図７は本発明の第２の実施形態を示すもので、この場合には、Ｘパターン群１とＹパターン群１０とが平面視で交差する場合に、各導電Ｘ軸２と各導電Ｙ軸１１との間に位置して導電Ｘパッド３及び導電Ｙパッド１２と略同様の光透過性を有するダミーパターン４０を備えるようにしている。
ダミーパターン４０は、各導電Ｘ軸２の導電Ｘパッド３に隣接する複数のダミーＸパターン４１と、各導電Ｙ軸１１の導電Ｙパッド１２に隣接する複数のダミーＹパターン４２とを備え、必要に応じて導電性や絶縁性が付与される。
【００３５】
各導電Ｘパッド３は、図５や図６に示すように、ＸＹ方向に伸びる複数の導電ラインにより、平面矩形のメッシュに形成される。また、各ダミーＸパターン４１は、Ｙ方向に伸びてＸ方向に所定の間隔で並ぶ複数の直線ライン４３により形成され、隣接する一対の導電Ｘ軸２の導電Ｘパッド３間等に介在する。
【００３６】
各導電Ｙパッド１２は、図５や図７に示すように、ＸＹ方向に伸びる複数の導電ラインにより、平面矩形のメッシュに形成される。また、各ダミーＹパターン４２は、Ｘ方向に伸びてＹ方向に所定の並ぶ複数の直線ライン４４により形成され、隣接する一対の導電Ｙ軸１１の導電Ｙパッド１２間等に介在する。
【００３７】
上記構成において、一対の絶縁フィルム２０が積層接着され、Ｘパターン群１とＹパターン群１０とが平面視で直交すると、ダミーパターン４０のダミーＸパターン４１とダミーＹパターン４２とが積層し、導電Ｘパッド３及び導電Ｙパッド１２と略同様の光透過性を有する光透過領域４５、すなわちメッシュ４６を形成する。その他の部分については、上記実施形態と略同様であるので説明を省略する。
【００３８】
本実施形態においても上記実施形態と同様の作用効果が期待でき、しかも、複数の導電Ｘ軸２と導電Ｙ軸１１とが間隔をおきそれぞれ離れて配列されている場合に導電Ｘ軸２と導電Ｙ軸１１とが直交しても、これらの間に無地の空隙が矩形に生じるのではなく、導電Ｘパッド３や導電Ｙパッド１２と同様のメッシュ４６が生じるので、タッチパネルスイッチ全体に均一感や統一感を醸し出すことができる。したがって、タッチパネルスイッチの外観に何ら違和感がなく、外観や体裁の悪化を招くおそれを有効に排除することができるのは明らかである。
【００３９】
次に、図８ないし図１０は本発明の第３の実施形態を示すもので、この場合には、Ｘパターン群１、Ｙパターン群１０、及びダミーパターン４０をそれぞれ斜めに形成するようにしている。
【００４０】
Ｘパターン群１は、図８や図９に示すように、間隔をおいてＸ方向に傾斜して並ぶ複数の導電Ｘ軸２から形成される。また、Ｙパターン群１０は、図８や図１０に示すように、間隔をおいてＹ方向に傾斜して並ぶ複数の導電Ｙ軸１１から形成される。また、ダミーパターン４０は、各導電Ｘ軸２の導電Ｘパッド３に傾斜して隣接する複数のダミーＸパターン４１と、各導電Ｙ軸１１の導電Ｙパッド１２に傾斜して隣接する複数のダミーＹパターン４２とから形成される。その他の部分については、上記実施形態と略同様であるので説明を省略する。
【００４１】
本実施形態においても上記実施形態と同様の作用効果が期待でき、しかも、Ｘパターン群１、Ｙパターン群１０、ダミーパターン４０の形状や構成のパターンの多様化を図ることができるのは明らかである。
【００４２】
次に、図１１ないし図１３は本発明の第４の実施形態を示すもので、この場合には、各導電Ｘ軸２の導電Ｘパッド３の周囲、及び各導電Ｙ軸１１の導電Ｙパッド１２の周囲に中空の導電枠ライン５０をそれぞれ平面略菱形に周設して一体形成し、これら導電Ｘパッド３の導電枠ライン５０と導電Ｙパッド１２の導電枠ライン５０とを僅かな隙間を介して隣接させるようにしている。
【００４３】
各導電枠ライン５０は、例えば金属粒子、金属細線、カーボン、導電性高分子等を含有するインクのスクリーン印刷、あるいは金属箔の加工等により形成され、線幅が開口率を向上させる観点から、２００μｍ以下、好ましくは１０μｍ以下とされる。この導電枠ライン５０の材料は、導電Ｘパッド３や導電Ｙパッド１２と同一でも良いし、そうでなくても良い。その他の部分については、上記実施形態と略同様であるので説明を省略する。
【００４４】
本実施形態においても上記実施形態と同様の作用効果が期待でき、しかも、導電枠ライン５０が導電Ｘパッド３、及び導電Ｙパッド１２をそれぞれ接続状態で包囲して指に対する検出領域を拡大するので、静電容量の変化を高精度に検出することができるのは明白である。
【００４５】
次に、図１４ないし図１６は本発明の第５の実施形態を示すもので、この場合には、ダミーパターン４０のダミーＸパターン４１に隣接するＸパターン群１の導電Ｘパッド３の周囲、ダミーＹパターン４２に隣接するＹパターン群１０の導電Ｙパッド１２の周囲に中空の導電枠ライン５０をそれぞれ平面矩形に周設して一体形成するようにしている。その他の部分については、上記実施形態と略同様であるので説明を省略する。
【００４６】
本実施形態においても上記実施形態と同様の作用効果が期待でき、しかも、導電枠ライン５０が導電Ｘパッド３、及び導電Ｙパッド１２をそれぞれ接続状態で包囲して指に対する検出領域を拡大するので、静電容量の変化を高精度に検出することができる。
【００４７】
なお、上記実施形態ではＸパターン群１とＹパターン群１０とを平面視で直交させたが、何らこれに限定されるものではなく、Ｘパターン群１とＹパターン群１０とを所定の角度で交差させても良い。また、導電Ｘパッド３と導電Ｙパッド１２とは、必要に応じ、平面円形、楕円形、多角形等に形成しても良い。また、最上部の絶縁フィルム２０の表面に、可撓性を有する透明の保護層を積層接着しても良い。
【００４８】
さらに、導電Ｘパッド３及び導電Ｙパッド１２と略同様の光透過性を確保することができるのであれば、ダミーパターン４０の複数のダミーＸパターン４１とダミーＹパターン４２とを絶縁フィルム２０の表面又は裏面に共に形成しても良いし、表裏別々に形成しても良い。
【００４９】
また、これら４１・４２をスクリーン印刷しても良いし、別フィルムに印刷した後、この別フィルムを絶縁フィルム２０に積層して貼着することもできる。さらに、ダミーパターン４０を、導電Ｘ軸２の導電Ｘパッド３に隣接するダミーＹパターン４２と、導電Ｙ軸１１の導電Ｙパッド１２に隣接するダミーＸパターン４１とから形成することもできる。
【符号の説明】
【００５０】
１      Ｘパターン群
２      導電Ｘ軸
３      導電Ｘパッド
４      導電Ｘライン
１０    Ｙパターン群
１１    導電Ｙ軸
１２    導電Ｙパッド
１３    導電Ｙライン
２０    絶縁フィルム（絶縁基材）
２１    接着剤
３０    光透過領域
３１    メッシュ
４０    ダミーパターン
４１    ダミーＸパターン
４２    ダミーＹパターン
４５    光透過領域
４６    メッシュ
５０    導電枠ライン
【図１】
2011175412.tif 000003
【図２】
2011175412.tif 000004
【図３】
2011175412.tif 000005
【図４】
2011175412.tif 000006
【図５】
2011175412.tif 000007
【図６】
2011175412.tif 000008
【図７】
2011175412.tif 000009
【図８】
2011175412.tif 000010
【図９】
2011175412.tif 000011
【図１０】
2011175412.tif 000012
【図１１】
2011175412.tif 000013
【図１２】
2011175412.tif 000014
【図１３】
2011175412.tif 000015
【図１４】
2011175412.tif 000016
【図１５】
2011175412.tif 000017
【図１６】
2011175412.tif 000018